(57)【要約】【課題】第１フォーマットのビデオ信号を第２フォーマットに変換する場合において、色にじみの発生を軽減できる。【解決手段】変換装置は、第１フォーマットのビデオ信号を取得する取得手段と、第１フォーマットのビデオ信号において、色差が同じで隣り合う、複数個の色信号を１つの単位として順次抽出する抽出手段と、複数個の色信号を用いて、補間用色信号を生成する生成手段と、生成された補間用色信号に基づいて、第１フォーマットのビデオ信号を第２フォーマットに変換し、出力する出力手段と、を備える。生成手段は、抽出された複数個の色信号において、隣接する色信号間にエッジが存在するか否かを検出するエッジ検出手段と、エッジの位置に基づいて、複数個の色信号の一部を補正する補正手段と、補正された色信号を用いて補間用色信号を生成する補間信号生成手段と、を有する。【選択図】図５
2011035854.tif 000002
【特許請求の範囲】
【請求項１】
第１フォーマットのビデオ信号を、当該第１フォーマットよりも情報量の多い第２フォーマットに変換する変換装置であって、
前記第１フォーマットのビデオ信号を取得する取得手段と、
前記第１フォーマットのビデオ信号において、色差が同じで、かつ、隣り合う、複数個の色信号を１つの単位として順次抽出する抽出手段と、
前記抽出された複数個の色信号を用いて、補間用色信号を生成する生成手段と、
前記生成手段で生成された補間用色信号に基づいて、前記取得された第１フォーマットのビデオ信号を第２フォーマットに変換し、出力する出力手段と、
を備え、
前記生成手段は、
前記抽出された複数個の色信号において、隣接する色信号間にエッジが存在するか否かを検出するエッジ検出手段と、
当該検出したエッジの位置に基づいて、前記複数個の色信号の一部を補正する補正手段と、
当該補正された色信号を用いて前記補間用色信号を生成する補間信号生成手段と、
を有する、
変換装置。
【請求項２】
前記エッジ検出手段は、
前記抽出された複数個の色信号において、隣接する色信号の色レベルの差を検知し、当該検知した検知結果に応じて、隣接する色信号間にエッジが存在するか否かを検出する、
請求項１に記載の変換装置。
【請求項３】
前記生成手段が第１色信号間に補間される補間用色信号を生成している場合、
前記検出手段は、当該第１色信号間と１つ離れた第２色信号間、又は、２つ離れた第３色信号間にエッジが存在するか否かを検出する、
請求項１に記載の変換装置。
【請求項４】
前記生成手段が第１色信号間に補間される補間用色信号を生成している場合において、前記検出手段が第４色信号間にエッジを検出した場合、
前記補正手段は、
前記第１色信号間を基準にして前記第４色信号間よりも離れている色信号を補正する、
請求項１に記載の変換装置。
【請求項５】
前記補正手段は、補正しない色信号の色レベルを用いて、前記一部の色信号を補正する、
請求項１に記載の変換装置。
【請求項６】
前記第１フォーマットは４：２：２フォーマットであり、前記第２フォーマットは４：４：４フォーマットであり、前記色信号は、Ｃｂ又はＣｒの信号である、
請求項１に記載の変換装置。
【請求項７】
前記エッジ検出手段は、
隣接する色信号間の色レベルの差分値に基づく第２閾値と比べて、当該隣接する色信号間から所定範囲内に含まれる色信号間の色レベルの差分値が全て小さい場合、当該隣接する色信号間をエッジと判断する、
請求項１に記載の変換装置。
【請求項８】
第１フォーマットのビデオ信号を、当該第１フォーマットよりも情報量の多い第２フォーマットに変換する変換装置であって、
前記第１フォーマットのビデオ信号を取得する取得手段と、
前記第１フォーマットのビデオ信号において、色差が同じで、かつ、隣り合う、複数個の色信号を１つの単位として順次抽出する抽出手段と、
前記抽出された複数個の色信号を用いて、補間用色信号を生成する生成手段と、
前記生成手段で生成された補間用色信号に基づいて、前記取得された第１フォーマットのビデオ信号を第２フォーマットに変換し、出力する出力手段と、
を備え、
前記生成手段は、
前記抽出された複数個の色信号において、補正用色信号が補間される箇所で隣接する色信号の色レベルの差が閾値以下であるか否かを判別する判別手段と、
前記判別手段で閾値以下であると判別した場合、前記抽出した複数個の色信号のうち、一部の色信号を用いて、前記補間用色信号を生成する信号生成手段と、
を有する、
変換装置。
【請求項９】
前記判別手段は、補正用色信号が補間される箇所で隣接する第５色信号間の色レベルの差が閾値以下であり、かつ、当該第５色信号間から１つ離れた第６色信号間の色レベルの差が閾値以下であるか否かを判別し、
前記信号生成手段は、第５色信号間及び第６色信号間の色レベルの差が閾値以下であると判断した場合、前記抽出した複数個の色信号のうち、一部の色信号を用いて、前記補間用色信号を生成する、
請求項８に記載の変換装置。
【請求項１０】
第１フォーマットのビデオ信号を、当該第１フォーマットよりも情報量の多い第２フォーマットに変換する変換装置であって、
前記第１フォーマットのビデオ信号を取得する取得手段と、
前記第１フォーマットのビデオ信号において、色差が同じで、かつ、隣り合う、複数個の色信号を１つの単位として順次抽出する抽出手段と、
前記抽出された複数個の色信号を用いて、補間用色信号を生成する生成手段と、
前記生成手段で生成された補間用色信号に基づいて、前記取得された第１フォーマットのビデオ信号を第２フォーマットに変換し、出力する出力手段と、
を備え、
前記生成手段は、
前記抽出された複数個の色信号において、補正用色信号が補間される箇所で隣接する色信号の色レベルが両方とも黒を示すレベルである、
前記平坦部検出手段で閾値以下であると判別した場合、前記抽出した複数個の色信号のうち、一部の色信号を用いて、前記補間用色信号を生成する信号生成手段と、
を有する、
変換装置。
【発明の詳細な説明】
【技術分野】
【０００１】
本発明は、第１フォーマットのビデオ信号を、第１フォーマットよりも情報量の多い第２フォーマットに変換する変換装置に関する。より詳しくは、第１フォーマットの色信号に基づいて補間用色信号を生成し、補間用色信号を利用して第２フォーマットを生成する変換装置に関する。
【背景技術】
【０００２】
現在、放送波や光ディスク（Ｂｌｕ−ｒａｙ  Ｄｉｓｃ）に含まれるビデオ信号には、ＹＣｂＣｒ信号が用いられている。また、ビデオ信号は、４：２：２フォーマットや４：４：４フォーマットでなく、４：２：０フォーマットの色差信号を削減したフォーマットが用いられている。これらは、ビデオ信号の情報量を考慮して用いられている。
【０００３】
ここで、４：２：０フォーマットのようなビデオ信号を再生する再生装置では、ビデオ信号を再生するため、削減された色差信号を補間する必要がある。そのため、再生装置では、４：２：０フォーマットのビデオ信号を４：４：４フォーマットで再生する際、先ずは４：２：０から４：２：２フォーマットへ変化し、続いて４：２：２から４：４：４フォーマットへの変換を行う。その変換の際、輝度情報と色差情報の間に相関がある性質を利用して、補間処理方式を決定し、決定された補間方式で色差情報を補間するようにしている（特許文献１）。
【先行技術文献】
【特許文献】
【０００４】
【特許文献１】特開平４−３５８４９０号公報
【発明の概要】
【発明が解決しようとする課題】
【０００５】
ところで、再生装置では、上記のように、４：２：２フォーマットのような第１フォーマットのビデオ信号を、４：４：４フォーマットのような第２フォーマットに変換する場合、図１０に示すような課題が発生する。具体的に説明する。
【０００６】
図１０は、色差情報のＣｂを例にして、画素の位置がＣｂ［ｎ］の位置における８ｔａｐ補間処理を説明したものである。図１０は、横軸が画素の位置を示し、縦軸が色信号レベルを示す。図１０では、Ｃｂ［ｎ−７］〜Ｃｂ［ｎ＋１］の色信号レベルが低く、Ｃｂ［ｎ＋３］〜Ｃｂ［ｎ＋７］の色信号のレベルが高い。
【０００７】
ここで再生装置は、上記８タップ（Ｃｂ［ｎ−７］〜Ｃｂ［ｎ＋７］）の色差信号の色信号レベルを用いて、色信号レベルの平均値を算出し、この算出した色信号レベルを補間用色差信号（Ｃｂ［ｎ］）としているものとする。この場合、補間用色差信号（Ｃｂ［ｎ］）の色信号レベルが、Ｃｂ［ｎ＋３］〜Ｃｂ［ｎ＋７］の影響を受けたものとなる。すなわち、生成された補間用色差信号（Ｃｂ［ｎ］）は、Ｃｂ［ｎ−１］とＣｂ［ｎ＋１］の間で色にじみの原因になる。
【０００８】
なお、図１０に示すような、Ｃｂ［ｎ＋１］とＣｂ［ｎ＋３］の間の色信号レベルの急激な変化は、元々の画像データ（４：２：２フォーマット）に、ＯＳＤ（オン・スクリーン・ディスプレイ）（４：２：２フォーマット）などの他の画像を重ね合わせると発生しやすい。
【０００９】
そこで本発明は、上記課題を解決するために、第１フォーマットのビデオ信号を第２フォーマットに変換する場合において、色にじみの発生を軽減できる変換装置を提供することを目的とする。
【課題を解決するための手段】
【００１０】
本発明の変換装置は、第１フォーマットのビデオ信号を、当該第１フォーマットよりも情報量の多い第２フォーマットに変換する。変換装置は、前記第１フォーマットのビデオ信号を取得する取得手段と、前記第１フォーマットのビデオ信号において、色差が同じで、かつ、隣り合う、複数個の色信号を１つの単位として順次抽出する抽出手段と、前記抽出された複数個の色信号を用いて、補間用色信号を生成する生成手段と、前記生成手段で生成された補間用色信号に基づいて、前記取得された第１フォーマットのビデオ信号を第２フォーマットに変換し、出力する出力手段と、を備える。そして前記生成手段は、前記抽出された複数個の色信号において、隣接する色信号間にエッジが存在するか否かを検出するエッジ検出手段と、当該検出したエッジの位置に基づいて、前記複数個の色信号の一部を補正する補正手段と、当該補正された色信号を用いて前記補間用色信号を生成する補間信号生成手段と、を有する。
【００１１】
このようにすれば、隣接する色信号間にエッジが存在する箇所を検出して、そのエッジに応じて、色信号の一部を補正できる。このため、色にじみの原因になる色差情報を使用せずに、補間用の色信号を生成できるようになる。
【発明の効果】
【００１２】
本発明によれば、第１フォーマットのビデオ信号を第２フォーマットに変換する場合において、色にじみの発生を軽減できる。
【図面の簡単な説明】
【００１３】
【図１】本実施の形態に係るプレーヤーの構成図
【図２】本実施の形態に係るＨＤＭＩ用ＬＳＩの機能ブロック図
【図３】本実施の形態に係るＨＤＭＩ伝送用変換ブロック内の機能ブロック図
【図４】本実施の形態に係るＨＤＭＩ伝送用変換ブロック内の入力信号及び出力信号を説明するための図
【図５】本実施の形態に係る補間処理の動作例を示すフローチャート
【図６】本実施の形態に係る２ＴＡＰ処理を説明するための図
【図７】本実施の形態に係る第１の８ＴＡＰ処理を説明するための図
【図８】本実施の形態に係る第２の８ＴＡＰ処理を説明するための図
【図９】本実施の形態に係る第３の８ＴＡＰ処理を説明するための図
【図１０】課題を説明するための図
【発明を実施するための形態】
【００１４】
（実施の形態１）
本実施の形態に係るプレーヤー１００を説明する
＜１．本実施の形態の概要＞
プレーヤー１００は、ドライブ装置１１０に載置された光ディスクから４：２：０フォーマットのビデオ信号を取得する。プレーヤー１００は、受信した４：２：０フォーマットのビデオ信号を、４：２：２フォーマット、もしくは４：４：４フォーマットに変換して、ＴＶ２００に出力する。
【００１５】
プレーヤー１００は、４：２：２フォーマットのビデオ信号を４：４：４フォーマットに変換する際、以下の補間処理を施す。まず、プレーヤー１００は、４：２：２フォーマットのビデオ信号から、色差が同じで、かつ、隣り合う、複数個（８個）の色差信号を取得する。つまり、プレーヤー１００は、４：２：２フォーマットのビデオ信号から、Ｃｂ又はＣｒで隣り合う８個の色差信号を取得する。そしてプレーヤー１００は、８個の色差信号のうち、隣接する色差信号間にエッジ（色レベルの差が閾値以上ある箇所）が存在するか否かを検出する。プレーヤー１００は、エッジが存在すると判断した場合、エッジの位置に基づいて、８個の色差信号の一部を補正する。そしてプレーヤー１００は、補正された色差信号を含む８個の色差信号を利用して、補間用色差信号を生成する。プレーヤー１００は、このような処理を、４：２：２フォーマットのビデオ信号全体に対して繰り返す。
【００１６】
このようにすれば、隣接する色差信号間にエッジが存在する箇所を検出して、そのエッジに応じて、色差信号の一部を補正できる。このため、色にじみの原因になる色差情報を使用せずに、補間用の色差信号を生成できるようになる。
【００１７】
＜２．構成＞
＜２．１  全体構成とプレーヤー１００の構成の説明（図１）＞
図１は、全体構成の説明である。以下、各々の構成を説明する。
【００１８】
プレーヤー１００は、ドライブ装置１１０に挿入された光ディスクから映像及び音声信号を読み出す。そしてプレーヤー１００は、読み出した映像及び音声信号を、ＨＤＭＩ端子１４０を介してＴＶ２００に出力する。ＴＶ２００では、プレーヤー１００から入力される映像及び音声信号を表示画面として表示するとともに、音声として出力する。
【００１９】
プレーヤー１００は、ドライブ装置１１０、ＬＳＩ１２０、ＨＤＭＩ用ＬＳＩ１３０及びＨＤＭＩ端子１４０で構成されている。以下、具体的に説明する。
【００２０】
ドライブ装置１１０は、光ディスクの信号を読み取り、ＬＳＩ１２０に信号を出力する。光ディスクは、ＢＤ（Ｂｌｕ−ｒａｙ  Ｄｉｓｃ）やＤＶＤ（Ｄｉｇｉｔａｌ  Ｖｅｒｓａｔｉｌｅ  Ｄｉｓｃ）等が考えられる。なお、本実施の形態では、ビデオ信号（映像信号）とオーディオ信号（音声信号）とデータ信号を多重化した信号が、光ディスクに格納されているものとする。また、ビデオ信号とオーディオ信号は、圧縮符合化されているものとする。ビデオ信号は、４：２：０フォーマット（ＹＣｂＣｒフォーマット）であるとする。
【００２１】
ＬＳＩ１２０は、ドライブ装置１１０からの信号を受けると、デコード処理を行い、４：２：２フォーマットに変換して、ＨＤＭＩ用ＬＳＩ１３０へ信号を出力する。具体的にＬＳＩ１２０は、多重化された信号を、ビデオ信号と、オーディオ信号と、データ信号に分離する。そしてＬＳＩ１２０は、分離されたビデオ信号とオーディオ信号の各々を、デコードする。これによって、デコードされた４：２：０フォーマットのビデオ信号が生成される。さらに、ビデオ信号はＨＤＭＩ用ＬＳＩ１３０へ伝送する前に、４：２：０フォーマットから４：２：２フォーマットへ変換される。つまり、ＬＳＩ１２０は、デコードされた４：２：０フォーマットのビデオ信号を、４：２：２フォーマットに変換する。ＬＳＩ１２０は、４：２：２フォーマットのビデオ信号及びオーディオ信号をＨＤＭＩ用ＬＳＩ１３０に出力する。また、ＬＳＩ１２０は、データ信号をＨＤＭＩ用ＬＳＩ１３０に出力する。ＬＳＩ１２０は、半導体チップ（ＬＳＩ）で実現可能である。
【００２２】
ここでＬＳＩ１２０は、取得したビデオ信号に、ＯＳＤ（オン・スクリーン・ディスプレイ）を重ね合わせることが可能である。この処理をかんたんに説明する。ＬＳＩ１２０は、ユーザの操作などによって、ビデオ信号にＯＳＤを重ね合わせる指示を受け付けると、ＬＳＩ１２０内に予め記録されているＯＳＤ情報を読み出す。そして、ＬＳＩ１２０は、読み出したＯＳＤ情報を、ドライブ装置１１０から取得したビデオ信号に重ね合わせる。ここで、ＬＳＩ１２０は、４：４：４フォーマットのＯＳＤ情報を保持している。そのためＬＳＩ１２０は、ＯＳＤ情報を、輝度情報：色差情報＝２：１の割合で拡大する。例えば、ＬＳＩ１２０は、輝度情報のみを２倍に拡大する。これによって、ＬＳＩ１２０は、４：２：２フォーマットのＯＳＤ情報を得る。ＬＳＩ１２０は、この４：２：２フォーマットのＯＳＤ情報を、取得したビデオ信号に重ね合わせる。このようにして、ＬＳＩ１２０は、取得したビデオ信号にＯＳＤ情報を重ね合わせることが可能になる。なお、ＬＳＩ１２０は、ビデオ信号がＢＤフォーマットである場合、プライマリビデオにセカンダリビデオを重ね合わせることも可能である。
【００２３】
ＨＤＭＩ用ＬＳＩ１３０は、ＬＳＩ１２０からの信号を受け、ＨＤＭＩ出力を行うための信号処理を行う。そしてＨＤＭＩ用ＬＳＩ１３０は、信号処理を行った信号を、ＨＤＭＩ端子１４０へ出力する。具体的に、ＨＤＭＩ用ＬＳＩ１３０は、４：２：２フォーマットのビデオ信号を４：４：４フォーマットに変換して（４：２：２のまま出力する場合は処理不要）、この変換した信号をＨＤＭＩ端子１４０に出力する。ＨＤＭＩ用ＬＳＩ１３０は、半導体チップ（ＬＳＩ）で実現可能である。ＨＤＭＩ用ＬＳＩ１３０の詳細は後述する。
【００２４】
ＨＤＭＩ端子１４０は、ＨＤＭＩ用ＬＳＩ１３０からの信号を受け、ＴＶ２００へデータを出力する。ＨＤＭＩ端子１４０は、ＴＶ２００との間で情報のやり取りを可能にするものである。つまり、ＨＤＭＩ端子１４０は、ＴＶ２００と電気的に接続可能に構成されている。
【００２５】
電源１５０は、家庭用電源から得られるＡＣ電流をＤＣ電流に変換して、プレーヤー１００の各部（ＬＳＩ１２０やＨＤＭＩ用ＬＳＩ１３０等）へ電力を供給する。
【００２６】
＜２．２  ＨＤＭＩ用ＬＳＩ１３０の機能ブロックの説明（図２）＞
次に、ＨＤＭＩ用ＬＳＩ１３０の機能ブロックを説明する。図２は、ＨＤＭＩ用ＬＳＩ１３０の機能ブロックを説明するための図である。
【００２７】
ＨＤＭＩ用ＬＳＩ１３０は、ＣＵＳ１３１及びＨＤＭＩ伝送用変換ブロック１３２を機能ブロックとして有している。ＨＤＭＩ用ＬＳＩ１３０には、ＬＳＩ１２０からビデオ信号（４：２：２フォーマットのデジタルビデオ信号）、オーディオ信号（デジタルオーディオ信号）、及び、データ信号（パケット情報）が入力されている。
【００２８】
ＣＵＳ１３１は、ＨＤＭＩ用ＬＳＩ１３０に入力された４：２：２フォーマットのデジタルビデオ信号にクロマアップサンプル処理を施し、４：４：４フォーマットのデジタルビデオ信号に変換する。ＣＵＳ１３１は、４：４：４フォーマットのデジタルビデオ信号を、ＨＤＭＩ伝送用変換ブロック１３２へ出力する。
【００２９】
ＨＤＭＩ伝送用変換ブロック１３２は、ＣＵＳ１３１からのデジタルビデオ信号、ＨＤＭＩ用ＬＳＩ１３０へ入力されたデジタルオーディオ信号、ＨＤＭＩ用ＬＳＩ１３０へ入力されたパケット情報を受けて、ＨＤＭＩ伝送用フォーマットへ変換し出力する。本実施の形態では、ＨＤＭＩ伝送フォーマットとは、ビデオ信号のブランク期間にオーディオ信号やデータ信号のパケットデータを載せて、その信号をＴＭＤＳ変換した信号のことである。ＴＭＤＳ変換とは、映像信号のベースバンド伝送に用いられる方式で、ビデオ信号を、２４ｂｉｔから３０ｂｉｔに変換し、シリアル化するものである。
【００３０】
＜２．３  ＣＵＳ１３１の機能ブロック説明（図３）＞
次に、ＣＵＳ１３１の機能ブロックを説明する。図３は、ＣＵＳ１３１の機能ブロックを説明するための図である。ＣＵＳ１３１は、遅延ブロック（輝度データ）３０１、遅延ブロック（色差データ）３０２、補間データ生成部３０３、パラレル変換部（オリジナルデータ）３０４、パラレル変換部（色差データ）３０５及び合成部３０６を、機能ブロックとして有している。
【００３１】
ＣＵＳ１３１には、４：２：２フォーマットのデジタルビデオ信号が入力される。本実施の形態では、ＨＤＭＩ用ＬＳＩ１３０からＣＵＳ１３１に、図４のようなビデオ信号が入力される。つまり、ＣＵＳ１３１には、輝度データと色差データ（Ｃｂ又はＣｒ）が、１つの単位となって入力される。このように輝度データと色差データ（Ｃｂ又はＣｒ）を１つの単位とする理由は、情報の伝送量を少なくするためである。
【００３２】
なお、ＣＵＳ１３１は、図４に示すように、１つの単位の入力データ（輝度データ及び色差データ（Ｃｂ又はＣｒ））が入力されると、１つの単位の出力データ（輝度データ及び色差データ（Ｃｂ）、色差データ（Ｃｒ））が出力されるようになっている。
【００３３】
以下、１つの単位の入力データが入力されたことに伴うＣＵＳ１３１の各部の処理を説明する。例えば、ＣＵＳ１３１に、Ｙ［ｎ＋８］及びＣｒ［ｎ＋７］が入力データとして入力されたとする。
【００３４】
遅延ブロック（輝度データ）３０１は、入力データのうち、輝度（Ｙ）データを取得する。遅延ブロック（輝度データ）３０１は、取得した輝度信号を保持する遅延ブロックである。すなわち、遅延ブロック（輝度データ）３０１は、輝度データの読み出し指示が行なわれるまで、入力された輝度データを保持する。
【００３５】
例えば、遅延ブロック（輝度データ）３０１には、輝度データとして、Ｙ［ｎ−１］、Ｙ［ｎ］、Ｙ［ｎ＋１］、Ｙ［ｎ＋２］、Ｙ［ｎ＋３］、Ｙ［ｎ＋４］、Ｙ［ｎ＋５］、Ｙ［ｎ＋６］、Ｙ［ｎ＋７］のような情報が保持されていたとする。この場合、遅延ブロック（輝度データ）３０１は、新たな輝度データ  Ｙ［ｎ＋８］を取得すると、Ｙ［ｎ＋８］を保持する。
【００３６】
遅延ブロック（色差データ）３０２は、入力データのうち、色差（Ｃｂ又はＣｒ）データを取得する。遅延ブロック（色差データ）３０２は、取得した色信号を保持する遅延ブロックである。すなわち、遅延ブロック（色差データ）３０２は、色差データの読み出し指示が行なわれるまで、入力された色差データを保持する。本実施の形態では、遅延ブロック（色差データ）３０２に、１６個の色差データを保持する。なお、遅延ブロック（色差データ）３０２は、新たな色差データを取得すると、９個前に取得した色差データをパラレル変換部（オリジナルデータ）３０４に出力する。
【００３７】
例えば、遅延ブロック（色差データ）３０２には、色差データとして、Ｃｒ［ｎ−９］、Ｃｂ［ｎ−７］、Ｃｒ［ｎ−７］、Ｃｂ［ｎー５］、Ｃｒ［ｎ−５］、Ｃｂ［ｎ−３］、Ｃｒ［ｎ−３］、Ｃｂ［ｎ−１］、Ｃｒ［ｎ−１］、Ｃｂ［ｎ＋１］、Ｃｒ［ｎ＋１］、Ｃｂ［ｎ＋３］、Ｃｒ［ｎ＋３］、Ｃｂ［ｎ＋５］、Ｃｒ［ｎ＋５］、Ｃｂ［ｎ＋７］のような情報が保持されていたとする。この場合、遅延ブロック（色差データ）３０２は、新たな色差データ  Ｃｒ［ｎ＋７］を取得すると、Ｃｒ［ｎ−９］を破棄して、Ｃｒ［ｎ＋７］を保持する。また、遅延ブロック（色差データ）３０２は、Ｃｒ［ｎ−１］を読み出して、パラレル変換部（オリジナルデータ）３０４に出力する。
【００３８】
補間データ生成部３０３は、遅延ブロック（色差データ）３０２に保持された色差データに基づいて、Ｃｂ及びＣｒの補間用色差データを交互に生成する。補間データ生成部３０３は、まず、遅延ブロック（色差データ）３０２に保持された色差データから、Ｃｂ又はＣｒの色差データを取得する。
【００３９】
この場合、補間データ生成部３０３は、Ｃｂに関する８つの色差データを取得する。このようにして取得したデータは、色差が同じで、隣り合う情報である。補間データ生成部３０３は、この情報を利用して、補間用色差データを生成する。この例の場合、補間データ生成部３０３は、Ｃｂ［ｎ−７］、Ｃｂ［ｎ−５］、Ｃｂ［ｎ−３］、Ｃｂ［ｎ−１］、Ｃｂ［ｎ＋１］、Ｃｂ［ｎ＋３］、Ｃｂ［ｎ＋５］、Ｃｂ［ｎ＋７］の情報に基づいて、Ｃｂ［ｎ］の補間用色差データを生成する。補間データ生成部３０３は、生成した補間用色差データを、パラレル変換部（色差データ）３０５に入力する。なお、補間用色差データは、図５を用いて＜３．補間処理＞の欄で詳しく説明する。
【００４０】
補間データ生成部３０３は、上記Ｃｂ［ｎ］の生成が終わると、次の入力データが入力されることに伴って、Ｃｒに関する８つの色差データを取得する。そして補間データ生成部３０３は、取得した色差データに基づいて、Ｃｒの補間用色差データを生成する。このようにして、補間データ生成部３０３は、順次抽出した色差データから、補間用色差データを生成する。補間データ生成部３０３は、生成した補間用色差データを、パラレル変換部（色差データ）３０５に入力する。
【００４１】
パラレル変換部（オリジナルデータ）３０４は、入力される色差データ（Ｃｂ）と色差データ（Ｃｒ）を１つの単位で出力する。ここで、パラレル変換部（オリジナルデータ）３０４には、Ｃｂ及びＣｒが交互に入力される。したがって、パラレル変換部（オリジナルデータ）３０４は、Ｃｂの色差データを取得した場合、Ｃｂの色差データを保持する。一方で、パラレル変換部（オリジナルデータ）３０４は、Ｃｒの色差データを取得した場合、保持したＣｂの色差データと、取得したＣｒの色差データを合わせて出力する。例えば、パラレル変換部（オリジナルデータ）３０４にＣｒ［ｎ−１］が入力されたとする。この場合、パラレル変換部（オリジナルデータ）３０４は、１つ前に入力されるＣｂ［ｎ−１］を保持しているはずである。
【００４２】
したがって、パラレル変換部（オリジナルデータ）３０４は、Ｃｂ［ｎ−１］とＣｒ［ｎ−１］を合わせて、合成部３０６に出力する。要するに、パラレル変換部（オリジナルデータ）３０４は、順次取得されるＣｂ及びＣｒの色差データを、合成部３０６へ２ｍクロック毎に出力する。
【００４３】
パラレル変換部（色差データ）３０５は、入力される補間用色差データ（Ｃｂ）と補間用色差データ（Ｃｒ）を１つの単位で出力する。ここでパラレル変換部（色差データ）３０５には、Ｃｂ及びＣｒが交互に入力される。
【００４４】
したがって、パラレル変換部（色差データ）３０５は、Ｃｂの補間用色差データを取得した場合、Ｃｂの補間用色差データを保持する。一方で、パラレル変換部（色差データ）３０５は、Ｃｒの補間用色差データを取得した場合、保持したＣｂの補間用色差データと、取得したＣｒの補間用色差データを合わせて出力する。なお、例えば、パラレル変換部（色差データ）３０５は、Ｃｂ［ｎ］を取得すると、Ｃｂ［ｎ］を保持する。要するに、パラレル変換部（色差データ）３０５は、順次取得されるＣｂ及びＣｒの補間用色差データを、合成部３０６へ２ｍ＋１クロック毎に出力する。
【００４５】
合成部３０６は、遅延ブロック（輝度データ）３０１から取得される輝度データと、パラレル変換部（オリジナルデータ）３０４又はパラレル変換部（色差データ）３０５から入力される色差データと、を合わせて、出力する。例えば、合成部３０６は、Ｃｂ［ｎ−１］、Ｃｒ［ｎ−１］を取得すると、遅延ブロック（輝度データ）３０１からＹ［ｎ−１］を取得して出力する。
【００４６】
このようにして、ＣＵＳ１３１では、４：２：２フォーマットのビデオ信号を４：４：４フォーマットに変換できる。
【００４７】
＜２．４  ＣＵＳ１３１の入力データ及び出力データの説明＞
上記説明したＣＵＳ１３１での入力データ及び出力データの説明を行なう。図４は、入力データと出力データの関係を示す図である。なお、入力データと出力データは、ＣＵＳ１３１の内部処理遅延が存在するので、ｔのタイミングとｓのタイミングが一致するわけではない。すなわち、ｔは、入力データの入力タイミングを示し、ｓは、出力データの出力タイミングを示すにすぎない。なお、Ｃｂ１とＣｒ１は、Ｙ１の位置に対応したデータであり、Ｃｂ３とＣｒ３は、Ｙ３の位置に対応したデータである。
【００４８】
ＣＵＳ１３１は、ｔのタイミングで、Ｙ１及びＣｂ１が入力される。ＣＵＳ１３１は、次のｔ＋１のタイミングで、Ｙ２及びＣｒ１が入力される。このように、入力データが順次入力される。
【００４９】
一方、ＣＵＳ１３１は、ｓのタイミングで、Ｙ１及びＣｂ１、Ｃｒ１が出力される。ＣＵＳ１３１は、次のｓ＋１のタイミングで、Ｙ２及びＣｂ２、Ｃｒ２が出力される。なお、Ｃｂ２及びＣｒ２は、補間されたデータである。このように、出力データが順次出力される。
【００５０】
要するに、Ｃｂ１、Ｃｒ１、Ｃｂ３及びＣｒ３は入力されたオリジナルデータであり、Ｃｂ２、Ｃｒ２、Ｃｂ４及びＣｒ４は、クロマアップサンプル処理による補間データである。
【００５１】
＜３．補間処理の説明（図５）＞
本実施の形態の補間処理を、補間データ生成部３０３の動作例で説明する。図５は、補間データ生成部３０３の補間処理の動作を説明するためのフローチャートである。
【００５２】
まず、補間データ生成部３０３は、遅延ブロック（色差データ）３０２から、Ｃｂ又はＣｒの色差データを８個取得する（Ｓ１）。
補間データ生成部３０３は、上記実施の形態に示したように、Ｃｂに関する色差データを８個取得した場合を例にして説明を行なう。したがって、補間データ生成部３０３は、Ｃｂ［ｎ−７］、Ｃｂ［ｎ−５］、Ｃｂ［ｎ−３］、Ｃｂ［ｎ−１］、Ｃｂ［ｎ＋１］、Ｃｂ［ｎ＋３］、Ｃｂ［ｎ＋５］、Ｃｂ［ｎ＋７］の色差データを取得する。なお、補間データ生成部３０３は、このデータを基に、Ｃｂ［ｎ］の補間用色差データを生成する。
【００５３】
次に、補間データ生成部３０３は、隣接する色差データ間の差分を検出する（Ｓ２）。例えば、補間データ生成部３０３は、Ｃｂ［ｎ−７］とＣｂ［ｎ−５］の色レベルの差分を検出する。同様に、補間データ生成部３０３は、Ｃｂ［ｎ−５］とＣｂ［ｎ−３］の色レベルの差分を検出する。このようにして、補間データ生成部３０３は、隣接する色差データ間の差分を検出する。本実施の形態では、差分値を絶対値に丸める。つまり、小数点以下を四捨五入する。
【００５４】
次に、補間データ生成部３０３は、検出した差分を参照し、条件１又は条件２を満たすか否かを判別する（Ｓ３）。
【００５５】
〔条件１〕補間用色差データが挿入される位置において、隣接する色差データの差分値が第１閾値以下であり、かつ、隣接する色差データの何れか一方の色レベルが「０」（黒）である。
【００５６】
〔条件２〕補間用色差データが挿入される位置において、隣接する色差データの差分値が第１閾値以下であり、かつ、補間用色差データが挿入される位置から１つ離れた色差データ間の差分値が第１閾値以下である。
【００５７】
ここで上記条件１と条件２の第１閾値には、「０」が用いられている。つまり、本実施の形態では、隣接する色差データの色信号レベルが一致する場合、上記条件の一部を満たすことになる。また、補間用色差データが挿入される位置から１つ離れた色差データ間とは、本実施の形態では、Ｃｂ［ｎ−３］とＣｂ［ｎ−１］（ｄ［２］）、及び、Ｃｂ［ｎ＋１］とＣｂ［ｎ＋３］（ｄ［４］）のことを示している。
【００５８】
要するに、ステップＳ３では、補間用色差データが挿入される位置付近の色差データの差分が小さいか否かを判別している。すなわち、補間データ生成部３０３は、平坦部を検知していることになる。
【００５９】
例えば、図６のＡの場合、Ｃｂ［ｎ−１］とＣｂ［ｎ＋１］（ｄ［３］）の差分値が「０」であり、色信号レベルが「０」である。したがって、上記条件１を満たし、ステップＳ４に移行する。また、図６のＢの場合、Ｃｂ［ｎ−１］とＣｂ［ｎ＋１］（ｄ［３］）の差分値が「０」であり、Ｃｂ［ｎ＋１］とＣｂ［ｎ＋３］（ｄ［４］）の差分値が「０」である。したがって、上記条件２を満たし、ステップＳ４に移行する。
【００６０】
ステップＳ３で条件を満たす場合、補間データ生成部３０３は、２ＴＡＰ処理に移行する（Ｓ４）。２ＴＡＰ処理を説明する。２ＴＡＰ処理は、補間用色差データを、隣接する色差データのみに基づいて生成するものである。例えば、図６に示すように、補間データ生成部３０３は、Ｃｂ［ｎ−１］の色信号レベル、及び、Ｃｂ［ｎ＋１］の色信号レベルに基づいて、Ｃｂ［ｎ］を算出する。具体的に、補間データ生成部３０３は、Ｃｂ［ｎ−１］とＣｂ［ｎ＋１］の２つの平均値を算出して、Ｃｂ［ｎ］の色信号レベルとする。
【００６１】
一方、ステップＳ３を満たさない場合、補間データ生成部３０３は、補間用色差データが挿入される位置から１つ離れた位置に、エッジが存在するか否かを判断する（Ｓ５）。補間データ生成部３０３は、まず、補間用色差データが挿入される位置から１つ離れた位置である、Ｃｂ［ｎ−３］とＣｂ［ｎ−１］（ｄ［２］）がエッジに該当するか否かを判別する。そして補間データ生成部３０３は、補間用色差データが挿入される位置から１つ離れた位置である、Ｃｂ［ｎ＋１］とＣｂ［ｎ＋３］（ｄ［４］）がエッジに該当するか否かを判別する。つまり、補間用色差データが挿入される位置から１つ離れた位置とは、上記例では、Ｃｂ［ｎ−３］とＣｂ［ｎ−１］、及び、Ｃｂ［ｎ＋１］とＣｂ［ｎ＋３］のことを示している。以下、具体的動作を説明する。以下の説明は、Ｃｂ［ｎ＋１］とＣｂ［ｎ＋３］（ｄ［４］）がエッジに該当するか否かを判別する際の動作例である。
【００６２】
〔Ｓ５−１の動作〕まず、補間データ生成部３０３は、補間用色差データが挿入される位置から１つ離れた位置（例えば、ｄ［４］）の差分値に基づいて、第２閾値を算出する。補間データ生成部３０３は、ｄ［４］の差分値を所定の値（例えば、５）で割って、第２閾値を算出する。
【００６３】
〔Ｓ５−２の動作〕次に、補間データ生成部３０３は、境界（ｄ［４］）で分断される２つのエリアにおいて、境界（ｄ［４］）付近の色差データ間の差分値が第２閾値よりも小さいか否かを判別する。ここで、本実施の形態において、境界付近の色差データ間には、境界から３つ離れた位置（境界から所定範囲離れた位置の一例）の色差データ間までを含む。つまり、境界がｄ［４］である場合、ｄ［１］、ｄ［２］、ｄ［３］、ｄ［５］、ｄ［６］が境界付近の色差データ間になる。よって、補間データ生成部３０３は、ｄ［１］、ｄ［２］、ｄ［３］、ｄ［５］、ｄ［６］の差分値が、第２閾値よりも小さいか否かを判別する。補間データ生成部３０３は、境界付近の色差データ間の差分値が、すべて第２閾値よりも小さい場合、境界をエッジと判断する。一方、補間データ生成部３０３は、境界付近の色差データ間の差分値の一部が、第２閾値以上である場合、エッジでないと判断する。
【００６４】
〔Ｓ５−３の動作〕つまり、補間データ生成部３０３は、補間位置から１つ離れた位置にエッジが存在すると判断されれば、ステップＳ６に移行する。一方補間データ生成部３０３は、補間位置から１つ離れた位置にエッジが存在しないと判断されれば、ステップＳ７に移行する。
【００６５】
ステップＳ５で条件を満たす場合、補間データ生成部３０３は、第１の８ＴＡＰ処理に移行する（Ｓ６）。第１の８ＴＡＰ処理の説明を行う。
【００６６】
まず、補間データ生成部３０３は、補間用色差データが挿入される位置（例えば、Ｃｂ［ｎ−１］とＣｂ［ｎ＋１］の間）を基準にして、検出したエッジ（例えば、Ｃｂ［ｎ＋１］とＣｂ［ｎ＋３］の間）よりも遠い位置に存在する色差データを補正する。具体的には、図７のＢに示すように、補間データ生成部３０３は、補間用色差データが挿入される位置（例えば、Ｃｂ［ｎ−１］とＣｂ［ｎ＋１］の間）を基準にして、検出したエッジ（例えば、Ｃｂ［ｎ＋１］とＣｂ［ｎ＋３］の間）の近い側に存在する色差データ（例えば、Ｃｂ［ｎ＋１］）を用い補正する。つまり、補間データ生成部３０３は、Ｃｂ［ｎ＋３］、Ｃｂ［ｎ＋５］、Ｃｂ［ｎ＋７］の色差データを、Ｃｂ［ｎ＋１］と同じ色信号レベルに置き換える。このようにして、補間データ生成部３０３は、検出したエッジ（例えば、Ｃｂ［ｎ＋１］とＣｂ［ｎ＋３］の間）よりも遠い位置に存在する色差データを補正する（図７のＢ）。本実施の形態において、補正後の色差データは、Ｃｂ［ｎ＋３］´、Ｃｂ［ｎ＋５］´、Ｃｂ［ｎ＋７］´となる。
【００６７】
そして、補間データ生成部３０３は、補正した色差データを用いて、補間用色差データを生成する。例えば、補間データ生成部３０３は、補正されたＣｂ［ｎ＋３］´、Ｃｂ［ｎ＋５］´、Ｃｂ［ｎ＋７］´、及び、Ｃｂ［ｎ−７］、Ｃｂ［ｎ−５］、Ｃｂ［ｎ−３］、Ｃｂ［ｎ−１］、Ｃｂ［ｎ＋１］を用いて平均値を算出し、算出した情報をＣｂ［ｎ］の色信号レベルとする。
【００６８】
図５の説明に戻って、ステップＳ５を満たさない場合、補間データ生成部３０３は、補間位置から２つ離れた位置にエッジが存在するか否かを判断する（Ｓ７）。補間データ生成部３０３は、まず、補間用色差データが挿入される位置から２つ離れた位置である、Ｃｂ［ｎ−５］とＣｂ［ｎ−３］（ｄ［１］）がエッジに該当するか否かを判別する。そして補間データ生成部３０３は、補間用色差データが挿入される位置から２つ離れた位置である、Ｃｂ［ｎ＋３］とＣｂ［ｎ＋５］（ｄ［５］）がエッジに該当するか否かを判別する。つまり、補間用色差データが挿入される位置から２つ離れた位置とは、上記例では、Ｃｂ［ｎ−５］とＣｂ［ｎ−３］、及び、Ｃｂ［ｎ＋３］とＣｂ［ｎ＋５］のことを示している。以下、具体的動作を説明する。以下の説明は、Ｃｂ［ｎ＋３］とＣｂ［ｎ＋５］（ｄ［５］）がエッジに該当するか否かを判別する際の動作例である。
【００６９】
〔Ｓ７−１の動作〕まず、補間データ生成部３０３は、補間用色差データが挿入される位置から２つ離れた位置（例えば、ｄ［５］）の差分値に基づいて、第２閾値を算出する。補間データ生成部３０３は、ｄ［５］の差分値を所定の値（例えば、５）で割って、第２閾値を算出する。
【００７０】
〔Ｓ７−２の動作〕次に、補間データ生成部３０３は、境界（ｄ［５］）で分断される２つのエリアにおいて、境界（ｄ［５］）付近の色差データ間の差分値が第２閾値よりも小さいか否かを判別する。ここで、本実施の形態において、境界付近の色差データ間には、境界から３つ離れた位置の色差データ間までを含む。つまり、境界がｄ［５］である場合、ｄ［２］、ｄ［３］、ｄ［４］、ｄ［６］が境界付近の色差データ間になる。よって、補間データ生成部３０３は、ｄ［２］、ｄ［３］、ｄ［４］、ｄ［６］の差分値が、第２閾値よりも小さいか否かを判別する。補間データ生成部３０３は、境界付近の色差データ間の差分値が、すべて第２閾値よりも小さい場合、境界をエッジと判断する。一方、補間データ生成部３０３は、境界付近の色差データ間の差分値の一部が、第２閾値以上である場合、エッジでないと判断する。
【００７１】
〔Ｓ７−３の動作〕つまり、補間データ生成部３０３は、補間位置から２つ離れた位置にエッジが存在すると判断されれば、ステップＳ８に移行する。一方補間データ生成部３０３は、補間位置から２つ離れた位置にエッジが存在しないと判断されれば、ステップＳ９に移行する。
【００７２】
ステップＳ７で条件を満たす場合、補間データ生成部３０３は、第２の８ＴＡＰ処理に移行する（Ｓ８）。第２の８ＴＡＰ処理の説明を行う。
【００７３】
まず、補間データ生成部３０３は、補間用色差データが挿入される位置（例えば、Ｃｂ［ｎ−１］とＣｂ［ｎ＋１］の間）を基準にして、検出したエッジ（例えば、Ｃｂ［ｎ＋３］とＣｂ［ｎ＋５］の間）よりも遠い位置に存在する色差データを補正する。具体的には、図８のＢに示すように、補間データ生成部３０３は、補間用色差データが挿入される位置（例えば、Ｃｂ［ｎ−１］とＣｂ［ｎ＋１］の間）を基準にして、検出したエッジ（例えば、Ｃｂ［ｎ＋３］とＣｂ［ｎ＋５］の間）の近い側に存在する色差データ（例えば、Ｃｂ［ｎ＋３］）を用い補正する。つまり、補間データ生成部３０３は、Ｃｂ［ｎ＋５］、Ｃｂ［ｎ＋７］の色差データを、Ｃｂ［ｎ＋３］と同じ色信号レベルに置き換える。このようにして、補間データ生成部３０３は、検出したエッジ（例えば、Ｃｂ［ｎ＋３］とＣｂ［ｎ＋５］の間）よりも遠い位置に存在する色差データを補正する（図８のＢ）。本実施の形態において、補正後の色差データは、Ｃｂ［ｎ＋５］´、Ｃｂ［ｎ＋７］´となる。
【００７４】
そして、補間データ生成部３０３は、補正した色差データを用いて、補間用色差データを生成する。例えば、補間データ生成部３０３は、補正されたＣｂ［ｎ＋５］´、Ｃｂ［ｎ＋７］´、及び、Ｃｂ［ｎ−７］、Ｃｂ［ｎ−５］、Ｃｂ［ｎ−３］、Ｃｂ［ｎ−１］、Ｃｂ［ｎ＋１］、Ｃｂ［ｎ＋３］を用いて平均値を算出し、算出した情報をＣｂ［ｎ］の色信号レベルとする。
【００７５】
図５の説明に戻って、ステップＳ７で条件を満たさない場合、第３の８ＴＡＰ処理に移行する（Ｓ９）。第３の８ＴＡＰ処理の説明を行う。補間データ生成部３０３は、取得した８個の色差データを用いて補間用色差データを生成する。具体的には、補間データ生成部３０３は、８個の色差データの色差データの平均値を算出し、この算出した平均値をＣｂ［ｎ］の色信号レベルとする。
【００７６】
このようにして、補間データ生成部３０３は、補間処理を行っている。なお、この動作例では、Ｃｂの補間処理を説明したが、Ｃｒに関しても同様の方法で実現できる。
【００７７】
＜４．まとめ＞
本実施の形態は、プレーヤー１００は、４：２：０フォーマットのビデオ信号を、４：２：２フォーマットに変換する。また、プレーヤー１００は、４：２：２フォーマットのビデオ信号を、４：４：４フォーマットに変換する装置である。プレーヤー１００は、４：２：２フォーマットのビデオ信号を、４：４：４フォーマットに変換するために、以下の制御ブロックを有する。
【００７８】
プレーヤー１００は、４：２：２フォーマットのビデオ信号を取得する遅延ブロック（色差データ）３０２と、４：２：２フォーマットのビデオ信号において、色差が同じで、かつ、隣り合う、８個の色差信号を１つの単位として順次抽出する補間データ生成部３０３と、抽出された８個の色差信号を用いて、補間用色差信号を生成する補間データ生成部３０３と、補間データ生成部３０３で生成された補間用色差信号に基づいて、４：２：２フォーマットのビデオ信号を４：４：４フォーマットに変換し、出力する合成部３０６と、を備える。そして、補間データ生成部３０３は、抽出された８個の色差信号において、隣接する色差信号間にエッジが存在するか否かを検出するエッジ検出部と、検出したエッジの位置に基づいて、８個の色差信号の一部を補正する補正部と、補正された色差信号を用いて補間用色差信号を生成する補間信号生成部と、を有する。
【００７９】
このようにすれば、隣接する色差信号間にエッジが存在する箇所を検出して、そのエッジに応じて、色差信号の一部を補正できる。このため、色にじみの原因になる色差情報を使用せずに、補間用の色差信号を生成できるようになる。
【００８０】
また、補間データ生成部３０３は、抽出された８個の色差信号において、補正用色差信号が補間される箇所で隣接する色差信号の色レベルの差が第１閾値以下であるか否かを判別する判別部と、判別部で第１閾値以下であると判別した場合、抽出した８個の色差信号のうち、一部の色差信号を用いて、補間用色差信号を生成する信号生成部と、を有する。
【００８１】
このようにすれば、補間用色差データが挿入される位置において、隣接する色差データの差分値が小さいような場合において、挿入される位置付近の色差データのみを用いて、補間用色差データを生成できるようになる。このため、色にじみの原因になる色差情報を使用せずに、補間用の色差信号を生成できるようになる。
【００８２】
また、補間データ生成部３０３は、ステップＳ３で、条件１「補間用色差データが挿入される位置において、隣接する色差データの差分値が第１閾値以下であり、かつ、隣接する色差データの何れか一方の色レベルが「０」（黒）である。」を満たすか否かを判別するようにした。すなわち、隣接する色差データの差分値が第１閾値以下であるだけでなく、色差データの何れか一方の色レベルが「０」（黒）であることを満たすか否かを判別するようにした。
【００８３】
このようにすれば、補間用色差データが挿入される位置において、隣接する色差データが黒である場合、複数個の色差データの内、一部を用いて補間用色差データを生成できる。したがって、黒のように色差レベルの変化に敏感な位置において、つまり、色差レベルの変化が色にじみとして現れやすい位置において、補間用色差データの生成に用いる色差データの数を減らすことができる。このため、色信号レベルが存在する色差データの影響を受けて、映像で色にじみが発生することを軽減できる。
【００８４】
同様に、補間データ生成部３０３は、ステップＳ３で、条件２「補間用色差データが挿入される位置において、隣接する色差データの差分値が第１閾値以下であり、かつ、補間用色差データが挿入される位置から１つ離れた色差データ間の差分値が第１閾値以下である。」を満たすか否かを判別するようにした。すなわち、隣接する色差データの差分値が第１閾値以下であるだけでなく、１つ離れた位置の差分値が第１閾値以下であることを満たすか否かを判別するようにした。
【００８５】
このようにすれば、色信号レベルが平坦である可能性が高い位置において、色にじみが発生することがより軽減できる。
【００８６】
なお、本実施の形態では、ステップＳ５やＳ７にあるように、補間用色差データを挿入する位置から１つ又は二つ離れた位置にエッジが存在するか否かを判別した。しかし、これに限られず、三つ離れた位置にエッジが存在するか否かを判別するようにしてもかまわない。
（他の実施の形態）
本実施の形態として、実施の形態１を例示した。しかし、本発明はこれに限られない。そこで、本発明の他の実施の形態を以下まとめて説明する。なお、本発明は、これらには限定されず、適宜修正された実施の形態に対しても適用可能である。
【００８７】
実施の形態１では、第１フォーマットを４：２：２フォーマット、第２フォーマットを４：４：４フォーマットに変換する際の動作を例にして説明を行なった。しかし、これに限られず、第１フォーマットが４：２：０フォーマットで、第２フォーマットが４：２：２フォーマットでもよい。すなわち、第１フォーマットよりも第２フォーマットの方が、情報量が多ければ、どのようなものであってもよい。
【００８８】
実施の形態１では、補間データ生成部３０３は、８個の色差信号を遅延ブロック（色差データ）３０２から抽出するようにした。これは、例示であるため、抽出する色差信号は、複数個であれば、いくつであってもよい。
【００８９】
実施の形態１では、ステップＳ５やＳ７の方法でエッジを検出するようにした。しかし、これに限られず、以下の方法で実現してもかまわない。以下の例は、ステップＳ５の例である。
【００９０】
他の実施の形態では、ステップＳ３を満たさない場合、補間データ生成部３０３は、条件３、かつ、条件４を満たすか否かを判別する（Ｓ５）。
【００９１】
〔条件３〕補間用色差データが挿入される位置から１つ離れた色差データ間の差分値が第２閾値以上である。
【００９２】
〔条件４〕条件３で差分値が第２閾値以上となった位置を境界として分断される２つのエリアにおいて、境界付近の色差データ間の差分が第３閾値以下である。
【００９３】
ここで第２閾値は、第３閾値と同じ、又は、第３閾値よりも大きい値であれば、どのような値であってもよい（例えば、４倍）。また、補間用色差データが挿入される位置から１つ離れた色差データ間とは、本実施の形態では、Ｃｂ［ｎ−３］とＣｂ［ｎ−１］、及び、Ｃｂ［ｎ＋１］とＣｂ［ｎ＋３］のことを示している。さらに、境界付近の色差データ間には、境界から３つ離れた位置の色差データ間までを含む。つまり、境界がｄ［４］である場合、ｄ［１］、ｄ［２］、ｄ［３］、ｄ［５］、ｄ［６］が境界付近の色差データ間になる。一方、境界がｄ［２］である場合、ｄ［０］、ｄ［１］、ｄ［３］、ｄ［４］、ｄ［５］が境界付近の色差データ間になる。
【００９４】
要するに、ステップＳ５では、補間用色差データが挿入される位置から１つ離れた色差データ間の差分が大きいかあるか否かを判別している。すなわち、補間データ生成部３０３は、エッジとなりうる位置を検知していることになる。また、補間データ生成部３０３は、色差データ間の差分が大きい場合、この差分が大きい部分で分断される２つのエリアにおいて、境界付近の色差データ間の差分が小さいか否かを判別している。すなわち、補間データ生成部３０３は、検出されたエッジとなりうる位置で分割される２つのエリアにおいて、エッジとなりうる付近が平坦であるか否かを検知している。
【００９５】
例えば、図７のＡの場合、Ｃｂ［ｎ＋１］とＣｂ［ｎ＋３］の差分がｄ［４］（第２閾値以上であるとする）である。また、図７のＡの場合、上記ｄ［４］以外の部分の差分が、ｄ［１］,ｄ［２］、ｄ［３］、ｄ［５］及びｄ［６］（何れも第３閾値以下であるとする）である。したがって、上記条件３及び条件４を満たし、ステップＳ６に移行する。ここで、図７のＡでは、Ｃｂ［ｎ＋１］とＣｂ［ｎ＋３］の色差データ間が、エッジであると判断できる。これによって、エッジを検出することが可能になる。
【００９６】
本実施の形態１では、色信号として色差信号を例にしたが、これに限られない。
【産業上の利用可能性】
【００９７】
本発明は、第１フォーマットのビデオ信号を第２フォーマットに変換する変換装置を有する、プレーヤー、レコーダー、テレビ受像機などに適用可能である。
【符号の説明】
【００９８】
１００    プレーヤー
１１０    ドライブ装置
１２０    ＬＳＩ
１３０    ＨＤＭＩ用ＬＳＩ
１４０    ＨＤＭＩ端子
１５０    電源
２００    ＴＶ
１３１    ＣＵＳ（Ｃｈｒｏｍａ  Ｕｐ  Ｓａｍｐｌｉｎｇ）
１３２    ＨＤＭＩ伝送用変換ブロック
３０１    遅延ブロック（輝度データ）
３０２    遅延ブロック（色差データ）
３０３    補間データ生成部
３０４    パラレル変換部（オリジナルデータ）
３０５    パラレル変換部（補間データ）
３０６    合成部
【図１】
2011035854.tif 000003
【図２】
2011035854.tif 000004
【図３】
2011035854.tif 000005
【図４】
2011035854.tif 000006
【図５】
2011035854.tif 000007
【図６】
2011035854.tif 000008
【図７】
2011035854.tif 000009
【図８】
2011035854.tif 000010
【図９】
2011035854.tif 000011
【図１０】
2011035854.tif 000012